(57)【要約】      （修正有）【課題】固定用スクリューにてインサートを脱着する際にレンチの先で固定用スクリューの頭をナメたりトルクが伝わりにくかったりすることのない回転式切削工具を提供する。【解決手段】インサート固定用スクリューを螺入するべく工具本体３に穿設したスクリュー孔１１の鉛直上方に位置する部位の工具本体３に、レンチなどの工具ガイドとしての切欠１６または貫通孔１８を形成した。【選択図】  図５
2004345081.tif 000002
【特許請求の範囲】
【請求項１】
円筒状をした工具本体の外周部位に設けられた複数のインサートポケットに切削インサートを着脱自在に装着してなる回転式切削工具にあって、インサート固定用スクリューを螺入するべく工具本体に穿設したスクリュー孔の鉛直上方に位置する部位の工具本体に切欠または貫通孔を形成してなる回転式切削工具。
【請求項２】
前記切削インサートのアキシャルレーキとラジアルレーキとして、それぞれ−１０°〜３５°、−２０°〜２５°の範囲にあることを特徴とする請求項１記載の回転式切削工具。
【発明の詳細な説明】
【技術分野】
【０００１】
本発明は、金属材料の切削加工に用いられるフライスカッター、ドリル、エンドミル等の回転式切削工具に関し、特に交換式の切削インサートを装着してなる回転式切削工具に関するものである。
【背景技術】
【０００２】
従来より、複数のインサートポケットに切削インサート（以下、インサートと略称する）を着脱自在に装着してなる回転式切削工具３０において、四角形状のインサートが用いられ、そのインサートの底面と図６と図７に示すようにインサート４０の２側面４１，４１をインサートポケット４２で拘束支持した状態とし、固定用スクリュー４３等の手段でインサート４０を固定していた。
【０００３】
このうち図６の略図に示す回転式切削工具３０はインサート４０の側面４１、４１を上側から拘束支持するタイプのもので、他方、図７の略図に示す回転式切削工具３０はインサート４０を横側から拘束支持するタイプのものである。
【発明の開示】
【発明が解決しようとする課題】
【０００４】
しかしながら、従来、回転式切削工具３０にインサート４０を固定する際、通常、インサートのすくい面の対面側にも工具本体が位置する構造となっており、そのため固定用スクリュー４３をレンチで脱着させる際にスクリュー孔の鉛直上方からレンチを作用させ難く、結果的にレンチを斜め方向から作用させてしまってスクリューの頭をナメたり、トルクがうまく伝わらないなどインサート脱着作業に手間取ることが多々あった。
【０００５】
上記従来技術の課題に鑑み本発明は、固定用スクリューにてインサートを脱着する際にレンチの先で固定用スクリューの頭をナメたりトルクが伝わりにくかったりすることのない使い勝手のよい回転式切削工具を提供するものである。
【課題を解決するための手段】
【０００６】
上記従来技術の課題を解決し、固定用スクリューの脱着に際しての使い勝手を良くするため本発明の回転式切削工具は、インサート固定用スクリューを螺入するべく工具本体に穿設したスクリュー孔の鉛直上方に位置する部位の工具本体にレンチなどの工具ガイドとしての切欠または貫通孔を形成した。
【０００７】
かかる構成によれば、インサート固定用のスクリュー孔の鉛直上方に位置する部位の工具本体にレンチなどの工具ガイドとしての切欠あるいは貫通孔を形成したことにより、この切欠にレンチ等のシャフト部を沿わせてレンチ先端を作用させれば、鉛直方向に確実にスクリューを締緩することができ、レンチの先で固定用スクリューの頭をナメたりトルクが伝わりにくかったりすることがなくて非常に使い勝手良く作業ができる。
【発明の効果】
【０００８】
叙上のように、本発明回転式切削工具は、インサート固定用スクリューを螺入するスクリュー孔の鉛直上方に位置する部位の工具本体にレンチなどの工具ガイドとしての切欠または貫通孔を穿設したことにより、レンチの先で固定用スクリューの頭をナメたりトルクが伝わりにくかったりすることがなくて非常に使い勝手良く作業ができる、という優れた効果を奏するものである。
【発明を実施するための最良の形態】
【０００９】
以下、本発明の実施形態を図に基づいて説明する。図１はインサート１を固定した状態の本実施形態による回転式切削工具２の全体を示し、この回転式切削工具２は工具本体３が全体として背の低い円筒体に丸みを有した肩部４、軸線方向に貫通する取付用孔５、および３０°程度の傾きをもって形成された複数の脚部６を有する構成となっており、この脚部６の下端外周隅７に四角形板状のインサート１を固定するためのインサートポケット８が形成された構造となっている。
【００１０】
上記インサートポケット８は、図２に示すようにインサート１の底面を支持する底面９に固定用スクリュー１０を螺入するためのスクリュー孔１１が穿設されるとともに、コ字状に配置された側面、すなわち、相互対向位置の対向内側面１２、対向外側面１３およびこれら側面に対し直交位置にある直交側面１４を備えている。
【００１１】
このようにインサート１を固定するインサートポケット８がコ字状に３側面を形成したものであることから、これら側面をガイドとしてインサート１を挿入することによってインサート１の位置決めを確実に行うことができインサート１の脱着の際の作業効率が良好であるとともに、インサートポケット８の周囲の工具本体３の肉量が多く、カッター厚みも増加することから工具本体３の剛性、機械的強度が向上するという利点がある。
【００１２】
なお、上記インサートポケット８の底面９と対向内側面１２、対向外側面１３それぞれとの交線部位（或いは連結部位）、ならびに直交側面１４と対向内側面１２との交線部位（或いは連結部位）にはＲ１程度の曲率半径による凹溝１５が形成され、切削加工中にインサート１の刃先部分から伝達される応力にたいするこの部位の機械的強度を高める工夫が施されている。
【００１３】
また、上記インサートポケット８は図３の断面図に示すように、インサートポケット８の底面９に形成したスクリュー孔１１から上記対向内側面１２までの間隔ｄ１に比べ対向外側面１３までの間隔ｄ２が差ｇ分だけ長く設定しており、インサート１と対向外側面１４との間にクリアランスｃが生じるようにしてある。
【００１４】
したがって、インサート１を固定した状態を示す図４の断面図の如く、固定したインサート１は対向内側面１２、対向外側面１３のうち対向内側面１２のみに拘束支持され残る対向外側面１３から離れた状態となる。
【００１５】
このようにクリアランスｃを設ける目的は、インサート１がインサートポケット８の側面に詰まってしまたりせずにスムーズに装着でき且つ位置決めも確実にできるようにすることにあり、クリアランスｃの大きさとしては０．０１〜２．０ｍｍであることが望ましい。すなわち、クリアランスｃが０．０１ｍｍ未満の場合、クリアランスｃが小さすぎてインサート１を装着する際にインサート１がインサートポケット８の側壁に引っ掛かってしまいスムーズに装着できなくなる恐れがあり、他方、２．０ｍｍ超過の場合にはインサート１の位置決めの際にインサート１がぐらついて位置決めが不安定になってしまう恐れがある。
【００１６】
また、上記回転式切削工具２において、インサート１を内径側、すなわち上記対向内側面１２の方に寄せる目的は、インサート１を横側から拘束支持するようにした場合、インサート１の寸法交差による刃先位置のズレを小さく抑えることができるようにするためである。他方、インサート１を外径側、すなわち上記対向外側面１３の方に寄せた場合には、インサート１を上側から拘束支持することとなり、インサート１の寸法交差による刃先位置のズレが理論上２倍になってしまう。
【００１７】
さらに、上記回転式切削工具２において、インサート１のアキシャルレーキとラジアルレーキとしてはそれぞれ−１０°〜３５°、−２０°〜２５°の範囲にあることが切削性能上、好ましい。これに対してアキシャルレーキが−１０°より小さいと切削抵抗が増加し、切味悪化、ビビリ等の不具合が発生する恐れがあり、他方３５°より大きいと刃先強度が低下し、刃先欠損してしまう恐れがある。また、ラジアルレーキが−２０°より小さいと切削抵抗が増加し、切味悪化、ビビリ等の恐れがあり、他方、２５°より大きいと刃先強度低下、切屑排出性悪化（かみこみ）による刃先欠損の原因となる恐れがある。
【００１８】
また、図５に示すように本実施形態の上記回転式切削工具２には、工具本体３の脚部６にレンチ等の工具のシャフトをガイドするための切欠１６または貫通孔１８を形成してある。これらの切欠１６、貫通孔１８は、各チップポケット８に設けられたスクリュー孔１１の鉛直上方の工具本体３を切欠いたり孔開けしたもので、この切欠１６又は貫通孔１８にレンチ等のシャフト部を沿わせてレンチ先端を作用させれば、鉛直方向に確実にスクリューを締緩することができ、レンチ１７の先で固定用スクリュー１０の頭をナメたりトルクが伝わりにくかったりすることがなく非常に使い勝手良く作業ができる。換言すれば、レンチ１７や固定用スクリュー１０が長寿命となることでコストメリットがあり、使用者にとって有益である。
【００１９】
なお、本発明は上記実施形態に限定されるものでなく、発明の目的を逸脱しない限り任意の形態とすることができることは言うまでもない。例えば、上記工具のシャフトをガイドするための切欠１８あるいは貫通孔１８を形成する場合の回転式切削工具２は、インサート１を直接、固定用スクリュー１０で固定するタイプのものに限るわけではなく、例えば押さえ金具クランプ方式のもので、押さえ金具にインサート固定用スクリューを作用させインサート１を固定するものであっても良い。
【図面の簡単な説明】
【００２０】
【図１】本発明の回転式切削工具の斜視図である。
【図２】図１中の領域Ｘの分解拡大図である。
【図３】図１中のＹ−Ｙ線断面図であり、インサートを装着していない状態を示す。
【図４】図１中のＹ−Ｙ線断面図であり、インサートを装着した状態を示す。
【図５】図１の回転式切削工具の側面図である。
【図６】従来の回転式切削工具におけるインサート装着状態を示すための概略説明図である。
【図７】従来の回転式切削工具におけるインサート装着状態を示すための概略説明図である。
【符号の説明】
【００２１】
１ インサート
２ 回転式切削工具
３ 工具本体
４ 肩部
５ 取付用孔
６ 脚部
７ 下端外周隅
８ インサートポケット
９ 底面
１０ 固定用スクリュー
１１ スクリュー孔
１２ 対向内側面
１３ 対向外側面
１４ 直交側面
１５ 凹溝
１６ 切欠
１７ レンチ
１８ 貫通孔
ｇ 間隔
ｃ クリアランス
【図１】
2004345081.tif 000003
【図２】
2004345081.tif 000004
【図３】
2004345081.tif 000005
【図４】
2004345081.tif 000006
【図５】
2004345081.tif 000007
【図６】
2004345081.tif 000008
【図７】
2004345081.tif 000009